(57)【要約】【課題】放送コンテンツの送信のタイミング等をユーザに意識させることなく、放送の運用を簡便にする技術を提供する。【解決手段】放送コンテンツ蓄積部１０２と、放送スケジュールを管理する装置に対して、放送開始日時と、放送終了日時又は放送継続時間とからなる放送時間枠を予約する、放送スケジュール予約要求部１０３と、前記放送コンテンツ蓄積部１０２に蓄積されている、前記放送時間枠で放送予定の放送コンテンツの送信が可能か否かを、前記放送スケジュールを管理する装置に問合せ、送信可能な場合は前記放送予定の放送コンテンツを前記放送スケジュールを管理する装置に送信する、放送コンテンツ送信管理部１０５とを備える。【選択図】図２
2014207656.tif 000002
【特許請求の範囲】
【請求項１】
放送コンテンツ蓄積部と、
放送スケジュールを管理する装置に対して、放送開始日時と、放送終了日時又は放送継続時間とからなる放送時間枠を予約する放送スケジュール予約要求部と、
前記放送コンテンツ蓄積部に蓄積されている、前記放送時間枠で放送予定の放送コンテンツを送信可能か否かを、前記放送スケジュールを管理する装置に問合せ、送信可能な場合は前記放送予定の放送コンテンツを前記放送スケジュールを管理する装置に送信する放送コンテンツ送信管理部と、
を備えたことを特徴とする放送スケジュール設定装置。
【請求項２】
放送スケジュール情報蓄積部と、
放送スケジュールを設定する装置からの、放送開始日時と、放送終了日時又は放送継続時間とからなる放送時間枠の予約要求に基づいて受付た放送時間枠を前記放送スケジュール情報蓄積部に蓄積する放送スケジュール予約受付部と、
前記放送スケジュールを設定する装置からの、前記受付た放送時間枠で放送予定の放送コンテンツを送信可能か否かの問合せに対し、所定条件に基づいて可否を判断し、その結果を応答し、送信可の場合に、前記放送スケジュールを設定する装置から送信される前記放送コンテンツを受信し、前記放送スケジュール情報蓄積部に蓄積する放送コンテンツ受信管理部と、
を備えたことを特徴とする放送スケジュール管理装置。
【請求項３】
時計部と、
前記放送スケジュール情報蓄積部に蓄積されている前記受付た放送時間枠の情報及び前記時計部から取得した日時の情報に基づいて、前記放送スケジュール情報蓄積部に蓄積されている前記放送コンテンツを出力する放送コンテンツ出力管理部と、
を更に備えた請求項２記載の放送スケジュール管理装置。
【請求項４】
前記所定の条件に基づく可否の判断は、前記問合せ受付時に受信中の放送コンテンツの数が所定数以上の場合、否と判断することを特徴とする、
請求項２又は３に記載の放送スケジュール管理装置。
【請求項５】
前記所定の条件に基づく可否の判断は、前記予約を受付た放送時間枠の放送開始日時が、前記問合せ受付時の日時よりも所定時間以上先の場合、否と判断することを特徴とする、
請求項２〜４の何れか一項に記載の放送スケジュール管理装置。
【請求項６】
前記所定の条件に基づく可否の判断は、前記問合せ受付時の、前記放送スケジュール情報蓄積部の使用可能蓄積容量が所定容量以下の場合、否と判断することを特徴とする、
請求項２〜５の何れか一項に記載の放送スケジュール管理装置。
【請求項７】
放送スケジュールを管理する装置に対して、放送開始日時と、放送終了日時又は放送継続時間とからなる放送時間枠を予約する放送スケジュール予約要求ステップと、
蓄積部に蓄積されている、前記放送時間枠で放送予定の放送コンテンツの送信が可能か否かを、前記放送スケジュールを管理する装置に問合せ、送信可能な場合は前記放送予定の放送コンテンツを前記放送スケジュールを管理する装置に送信する放送コンテンツ送信管理ステップと、
を含むことを特徴とする放送スケジュール設定方法。
【請求項８】
放送スケジュールを設定する装置からの、放送開始日時と、放送終了日時又は放送継続時間とからなる放送時間枠の予約要求に基づいて受付た放送時間枠を前記放送スケジュール情報蓄積部に蓄積する放送スケジュール予約受付ステップと、
前記放送スケジュールを設定する装置からの、前記受付た放送時間枠で放送予定の放送コンテンツの送信が可能か否かの問合せに対し、所定条件に基づいて可否を判断し、その結果を応答するとともに、その後、前記放送スケジュールを設定する装置から送信される前記放送コンテンツを受信し、蓄積部に蓄積する放送コンテンツ受信管理ステップと、
を含むことを特徴とする放送スケジュール管理方法。
【請求項９】
放送スケジュールの設定を要求する放送スケジュール設定装置と、前記放送スケジュール設定装置の要求を受付る放送スケジュール管理装置とを含む放送スケジュール設定管理システムであって、
前記放送スケジュール設定装置は、
放送コンテンツ蓄積部と、
放送スケジュールを管理する装置に対して、放送開始日時と、放送終了日時又は放送継続時間とからなる放送時間枠を予約する放送スケジュール予約要求部と、
前記放送コンテンツ蓄積部に蓄積されている、前記放送時間枠で放送予定の放送コンテンツの送信が可能か否かを、前記放送スケジュールを管理する装置に問合せ、送信可能な場合は前記放送予定の放送コンテンツを前記放送スケジュールを管理する装置に送信する放送コンテンツ送信管理部とを有し、
前記放送スケジュール管理装置は、
放送スケジュール情報蓄積部と、
放送スケジュールを設定する装置からの、前記放送時間枠の予約要求に基づいて受付た放送時間枠を前記放送スケジュール情報蓄積部に蓄積する放送スケジュール予約受付部と、
前記放送スケジュールを設定する装置からの、前記放送コンテンツの送信が可能か否かの問合せに対し、所定条件に基づいて可否を判断し、その結果を応答するとともに、その後、前記放送スケジュールを設定する装置から送信される前記放送コンテンツを受信し、前記放送スケジュール情報蓄積部に蓄積する放送コンテンツ受信管理部と、
を有することを特徴とする放送スケジュール設定管理システム。
【発明の詳細な説明】
【技術分野】
【０００１】
本発明は、放送コンテンツを放送する際の放送スケジュール設定管理技術に関する。
【背景技術】
【０００２】
地上デジタル放送などの広領域に渡る放送を行う地上基幹放送局の場合、放送局が、コンテンツ制作会社等から放送コンテンツを受入れ、放送局が所有する放送スケジュール管理装置等に、放送の開始終了日時及び前記放送コンテンツを設定し運用するのが一般的である。
【０００３】
一方、ワンセグ型エリア放送などの半径１００ｍ程度の小領域に渡る放送は、特定のイベントの期間のみ放送されたり、特定のエリアのみで放送されたりするため、放送の運用も小規模で、簡便な方法で運用できることが望まれている。
【０００４】
放送の運用を簡便にする一方策として、放送コンテンツを制作した者等が、自ら所有する放送スケジュール設定装置から、通信回線などを通して、放送スケジュール管理装置等に、放送の開始終了日時及び前記放送コンテンツを送信して設定する方法がある（例えば、特許文献１）。
【０００５】
この特許文献１記載の技術では、放送スケジュール管理装置等に対する、放送の開始終了日時の送信と、放送コンテンツの送信を、ユーザが個別に実施する。
【特許文献１】特開２００１−１８０５２７号公報
【発明の概要】
【発明が解決しようとする課題】
【０００６】
しかしながら特許文献１記載の技術では、ユーザは、放送開始終了日時設定後、設定した放送開始終了日時に放送予定の放送コンテンツの送信を、適切なタイミングを意識して自ら行わなければならないという問題があった。本発明はこうした状況を鑑みてなされたものであり、その課題は、放送コンテンツの送信のタイミング等をユーザに意識させることなく、放送の運用を簡便にする技術を提供することである。
【課題を解決するための手段】
【０００７】
上記課題を解決するために本発明は、下記の装置、方法、及びシステムを提供するものである。
（１）放送コンテンツ蓄積部（１０２）と、
放送スケジュールを管理する装置に対して、放送開始日時と、放送終了日時又は放送継続時間とからなる放送時間枠を予約する放送スケジュール予約要求部（１０３）と、
前記放送コンテンツ蓄積部に蓄積されている、前記放送時間枠で放送予定の放送コンテンツを送信可能か否かを、前記放送スケジュールを管理する装置に問合せ、送信可能な場合は前記放送予定の放送コンテンツを前記放送スケジュールを管理する装置に送信する放送コンテンツ送信管理部（１０５）と、
を備えたことを特徴とする放送スケジュール設定装置。
（２）放送スケジュール情報蓄積部（２０４）と、
放送スケジュールを設定する装置からの、放送開始日時と、放送終了日時又は放送継続時間とからなる放送時間枠の予約要求に基づいて受付た放送時間枠を前記放送スケジュール情報蓄積部に蓄積する放送スケジュール予約受付部（２０２）と、
前記放送スケジュールを設定する装置からの、前記受付た放送時間枠で放送予定の放送コンテンツを送信可能か否かの問合せに対し、所定条件に基づいて可否を判断し、その結果を応答し、送信可の場合に、前記放送スケジュールを設定する装置から送信される前記放送コンテンツを受信し、前記放送スケジュール情報蓄積部に蓄積する放送コンテンツ受信管理部（２０３）と、
を備えたことを特徴とする放送スケジュール管理装置。
（３）時計部（２０６）と、
前記放送スケジュール情報蓄積部に蓄積されている前記受付た放送時間枠の情報及び前記時計部から取得した日時の情報を基に、前記放送スケジュール情報蓄積部に蓄積されている前記放送コンテンツを出力する放送コンテンツ出力管理部（２０５）と、
を更に備えた請求項２記載の放送スケジュール管理装置。
（４）前記所定の条件に基づく可否の判断は、前記問合せ受付時に受信中の放送コンテンツの数が所定数以上の場合、否と判断することを特徴とする、
請求項２又は３に記載の放送スケジュール管理装置。
（５）前記所定の条件に基づく可否の判断は、前記予約を受付た放送時間枠の放送開始日時が、前記問合せ受付時の日時よりも所定時間以上先の場合、否と判断することを特徴とする、
請求項２〜４の何れか一項に記載の放送スケジュール管理装置。
（６）前記所定の条件に基づく可否の判断は、前記問合せ受付時の、前記放送スケジュール情報蓄積部の使用可能蓄積容量が所定容量以下の場合、否と判断することを特徴とする、
請求項２〜５の何れか一項に記載の放送スケジュール管理装置。
（７）放送スケジュールを管理する装置に対して、放送開始日時と、放送終了日時又は放送継続時間とからなる放送時間枠を予約する放送スケジュール予約要求ステップと、
蓄積部に蓄積されている、前記放送時間枠で放送予定の放送コンテンツの送信が可能か否かを、前記放送スケジュールを管理する装置に問合せ、送信可能な場合は前記放送予定の放送コンテンツを前記放送スケジュールを管理する装置に送信する放送コンテンツ送信管理ステップと、
を含むことを特徴とする放送スケジュール設定方法。
（８）放送スケジュールを設定する装置からの、放送開始日時と、放送終了日時又は放送継続時間とからなる放送時間枠の予約要求に基づいて受付た放送時間枠を前記放送スケジュール情報蓄積部に蓄積する放送スケジュール予約受付ステップと、
前記放送スケジュールを設定する装置からの、前記受付た放送時間枠で放送予定の放送コンテンツの送信が可能か否かの問合せに対し、所定条件に基づいて可否を判断し、その結果を応答するとともに、その後、前記放送スケジュールを設定する装置から送信される前記放送コンテンツを受信し、蓄積部に蓄積する放送コンテンツ受信管理ステップと、
を含むことを特徴とする放送スケジュール管理方法。
（９）放送スケジュールの設定を要求する放送スケジュール設定装置と、前記放送スケジュール設定装置の要求を受付る放送スケジュール管理装置とを含む放送スケジュール設定管理システムであって、
前記放送スケジュール設定装置は、
放送コンテンツ蓄積部（１０２）と、
放送スケジュールを管理する装置に対して、放送開始日時と、放送終了日時又は放送継続時間とからなる放送時間枠を予約する放送スケジュール予約要求部（１０３）と、
前記放送コンテンツ蓄積部に蓄積されている、前記放送時間枠で放送予定の放送コンテンツの送信が可能か否かを、前記放送スケジュールを管理する装置に問合せ、送信可能な場合は前記放送予定の放送コンテンツを前記放送スケジュールを管理する装置に送信する放送コンテンツ送信管理部（１０５）とを有し、
前記放送スケジュール管理装置は、
放送スケジュール情報蓄積部（２０４）と、
放送スケジュールを設定する装置からの、前記放送時間枠の予約要求に基づいて受付た放送時間枠を前記放送スケジュール情報蓄積部に蓄積する放送スケジュール予約受付部（２０２）と、
前記放送スケジュールを設定する装置からの、前記放送コンテンツの送信が可能か否かの問合せに対し、所定条件に基づいて可否を判断し、その結果を応答するとともに、その後、前記放送スケジュールを設定する装置から送信される前記放送コンテンツを受信し、前記放送スケジュール情報蓄積部に蓄積する放送コンテンツ受信管理部（２０３）と、
を有することを特徴とする放送スケジュール設定管理システム。
【発明の効果】
【０００８】
本発明によれば、放送の運用を簡便にすることができる。
【図面の簡単な説明】
【０００９】
【図１】本発明の実施例に係る、放送スケジュール設定管理システムの構成図である。
【図２】本発明の実施例に係る、放送スケジュール設定装置の構成図である。
【図３】本発明の実施例に係る、放送スケジュール予約情報蓄積部に蓄積される放送スケジュール予約情報のフォーマットを示す図である。
【図４】本発明の実施例に係る、放送スケジュール管理装置の構成図である。
【図５】本発明の実施例に係る、放送スケジュール情報蓄積部に蓄積される放送スケジュール情報のフォーマットを示す図である。
【図６】本発明の実施例に係る、シーケンス図である。
【図７】本発明の実施例に係る、表示／入力装置で表示される画面の一例である。
【図８】本発明の実施例に係る、表示／入力装置で表示される画面の一例である。
【図９】本発明の実施例に係る、放送スケジュール設定管理システムの構成図（その２）である。
【図１０】本発明の実施例に係る、放送スケジュール設定装置の構成図（その２）である。
【図１１】本発明の実施例に係る、放送スケジュール予約情報蓄積部に蓄積される放送スケジュール予約情報のフォーマットを示す図（その２）である。
【図１２】本発明の実施例に係る、放送スケジュール設定装置の処理の流れを示す図である。
【図１３】本発明の実施例に係る、放送スケジュール管理装置の構成図（その２）である。
【図１４】本発明の実施例に係る、放送スケジュール情報蓄積部に蓄積される放送スケジュール情報のフォーマットを示す図（その２）である。
【図１５】本発明の実施例に係る、シーケンス図（その２）である。
【図１６】本発明の実施例に係る、放送スケジュール予約情報の具体例を示す図である。
【図１７】本発明の実施例に係る、放送スケジュール情報の具体例を示す図である。
【図１８】本発明の実施例に係る、放送スケジュール予約情報の具体例（その２)を示す図である。
【図１９】本発明の実施例に係る、放送スケジュール情報の具体例（その２)を示す図である。
【図２０】本発明の実施例に係る、放送スケジュール予約情報の具体例（その３)を示す図である。
【図２１】本発明の実施例に係る、放送スケジュール情報の具体例（その３)を示す図である。
【図２２】本発明の実施例に係る、放送スケジュール情報の具体例（その４)を示す図である。
【発明を実施するための形態】
【００１０】
［実施例１］
図１は、本発明の実施例に係る、放送スケジュール設定管理システム１０の構成を示す。放送スケジュール設定管理システム１０は、外部メディア読取装置２０、表示／入力装置３０、放送スケジュール設定装置１００、通信回線５０、放送スケジュール管理装置２００、放送送信装置６０を含んで構成される。
【００１１】
外部メディア読取装置２０は、放送スケジュール設定装置１００と接続され、外部メディア読取装置２０に接続された外部メディアに格納されている放送コンテンツを、放送スケジュール設定装置１００へ送信する。外部メディア読取装置２０は、例えばＵＳＢ（Ｕｎｉｖｅｒｓａｌ  Ｓｅｒｉａｌ  Ｂｕｓ）メモリドライブ装置である。
【００１２】
表示／入力装置３０は、放送スケジュール設定装置１００と接続され、放送スケジュール設定装置１００から出力される画像を表示し、また、放送スケジュール設定装置１００へのユーザによる情報入力を行なう。表示／入力装置３０は、例えばモニターとキーボードから成る。
【００１３】
放送スケジュール設定装置１００は、通信回線５０を介して、放送スケジュール管理装置２００と、放送開始終了日時や放送コンテンツ等のやりとりを行う。なお、放送スケジュール設定装置１００は複数存在し、一つの放送スケジュール管理装置２００に対して、個別に放送開始終了日時や放送コンテンツ等のやりとりを行う場合もある。
【００１４】
通信回線５０は、例えば、ＩＰ（Ｉｎｔｅｒｎｅｔ  Ｐｒｏｔｏｃｏｌ）ネットワークである。また、ＩＰネットワークはインターネットを含む場合もある。
【００１５】
放送スケジュール管理装置２００は、接続された放送送信装置６０に放送コンテンツを送信する。
【００１６】
放送送信装置６０は、放送スケジュール管理装置２００から送信された放送コンテンツを放送する。前記放送は、図示しない受信装置（例えば、放送受信対応の携帯電話）により受信され、放送コンテンツが提示される。
【００１７】
図２は、放送スケジュール設定装置１００の構成を示す。放送スケジュール設定装置１００は、放送コンテンツ入力部１０１、放送コンテンツ蓄積部１０２、放送スケジュール予約要求部１０３、放送スケジュール予約情報蓄積部１０４、放送コンテンツ送信管理部１０５、ＩＦ部１０６を含んで構成される。
【００１８】
放送コンテンツ入力部１０１は、接続された外部メディア読取装置２０（例えばＵＳＢメモリドライブ装置）から放送コンテンツを入力し、放送コンテンツ蓄積部１０２に蓄積する。
【００１９】
放送コンテンツ蓄積部１０２に蓄積される放送コンテンツの形式は、例えばＴｒａｎｓｐｏｒｔ  Ｓｔｒｅａｍ形式である。Ｔｒａｎｓｐｏｒｔ  Ｓｔｒｅａｍ形式は、映像データや音声データを重畳することができる。
【００２０】
放送スケジュール予約要求部１０３は、ＩＦ部１０６及び通信回線５０を経由して、放送スケジュール管理装置２００と、放送開始終了日時等のやりとりを行う。また、表示／入力装置３０に前記放送開始終了日時等を表示する。また、放送スケジュール設定装置１００のユーザにより、表示／入力装置３０を介して入力された放送スケジュール予約要求等を受け取る。なお、放送スケジュール予約要求部１０３は、放送スケジュール管理装置２００とのやりとりにより確定した放送スケジュール予約情報を、放送スケジュール予約情報蓄積部１０４に蓄積する。
【００２１】
放送スケジュール予約情報蓄積部１０４には、放送スケジュール予約情報が蓄積される。前記放送スケジュール予約情報のフォーマットの例を図３に示す。図示のごとく、放送スケジュール予約情報のフォーマットは、放送開始日時、放送終了日時、放送コンテンツ送信状態の３項目を含んで構成される。放送開始日時の項目には、当該放送スケジュール予約に於ける放送開始日時が格納される（例：２０１３年２月１２日１７時００分）。放送終了日時の項目には、当該放送スケジュール予約に於ける放送終了日時が格納される。放送コンテンツ送信状態の項目には、当該放送スケジュール予約で放送する放送コンテンツの、放送スケジュール管理装置２００への送信状態が格納される。放送コンテンツ送信状態の値には、未送信、送信中、等がある。
【００２２】
放送コンテンツ送信管理部１０５は、放送スケジュール予約情報蓄積部１０４に蓄積された放送スケジュール予約情報の放送開始日時及び放送終了日時、及び放送コンテンツ蓄積部１０２に蓄積された放送コンテンツを、ＩＦ部１０６及び通信回線５０を経由して、放送スケジュール管理装置２００に送信する。なお、放送スケジュール管理装置２００からの応答に基づき、送信時期を変更したり、再送信する場合もある。また、放送コンテンツ送信管理部１０５は、放送スケジュール予約情報蓄積部１０４に蓄積された放送スケジュール予約情報の放送コンテンツ送信状態の項目を、送信状態に合わせ更新する。
【００２３】
ＩＦ部１０６は、放送スケジュール予約要求部１０３及び放送コンテンツ送信管理部１０５及び通信回線５０と接続される。また、ＩＦ部１０６は、放送スケジュール予約要求部１０３及び放送コンテンツ送信管理部１０５による、放送スケジュール管理装置２００とのやりとりを、通信回線５０を介して可能とする。
【００２４】
図４は、放送スケジュール管理装置２００の構成を示す。放送スケジュール管理装置２００は、ＩＦ部２０１、放送コンテンツ受信管理部２０３、放送スケジュール予約受付部２０２、放送スケジュール情報蓄積部２０４、放送コンテンツ出力管理部２０５、時計部２０６を含んで構成される。
【００２５】
ＩＦ部２０１は、放送コンテンツ受信管理部２０３及び放送スケジュール予約受付部２０２及び通信回線５０と接続される。また、ＩＦ部２０１は、放送コンテンツ受信管理部２０３及び放送スケジュール予約受付部２０２による、放送スケジュール設定装置１００とのやりとりを、通信回線５０を介して可能とする。
【００２６】
放送スケジュール予約受付部２０２は、ＩＦ部２０１及び通信回線５０を経由して、放送スケジュール設定装置１００と放送開始終了日時等のやりとりを行う。この際、放送スケジュール予約受付部２０２は、放送スケジュール情報蓄積部２０４に蓄積されている放送スケジュール情報の作成、削除、参照、変更を行なう。
【００２７】
放送スケジュール情報蓄積部２０４には、複数の放送スケジュール情報が蓄積される。前記放送スケジュール情報のフォーマットの例を図５に示す。図示のごとく、放送スケジュール情報のフォーマットは、放送開始日時、放送終了日時、放送コンテンツの３項目を含んで構成される。放送開始日時の項目には、当該放送スケジュールに於ける放送開始日時が格納される（例：２０１３年２月１２日１７時００分）。放送終了日時の項目には、当該放送スケジュール予約に於ける放送終了日時が格納される。放送コンテンツの項目には、当該放送スケジュールで放送する放送コンテンツが格納される。
【００２８】
放送コンテンツ受信管理部２０３は、放送スケジュール設定装置１００から送信された放送開始日時、放送終了日時及び放送コンテンツを受信し、放送コンテンツを放送スケジュール情報蓄積部２０４に蓄積する。この際、放送コンテンツ受信管理部２０３は、放送スケジュール情報蓄積部２０４に蓄積されている放送スケジュール情報のうち、受信した放送開始日時及び放送終了日時と一致する放送スケジュール情報の、放送コンテンツの項目に、受信した放送コンテンツを格納する。
【００２９】
放送コンテンツ出力管理部２０５は、時計２０６の現在時刻を取得し、放送スケジュール情報蓄積部２０４に蓄積された放送スケジュール情報に基づき、放送コンテンツを放送送信装置６０に送信すると共に、放送の開始及び終了指示を行う。
【００３０】
時計部２０６は、放送コンテンツ出力管理部２０５等からの要求に基づき、現在時刻を提供する。
【００３１】
図６は、放送スケジュール設定管理システム１０に於ける、放送スケジュールの設定から、前記放送スケジュールに基づく、放送の開始までのシーケンスの例である。
【００３２】
放送スケジュール要求部１０３及び放送コンテンツ送信管理部１０５は、ＩＦ部１０６及び通信回線５０を経由して、放送スケジュール管理装置２００とやりとりを行うが、以下の説明では、説明の簡略化のため、放送スケジュール要求部１０３及び放送コンテンツ送信管理部１０５が直接、放送スケジュール管理装置２００とやりとりを行うように説明する。また同様に、放送コンテンツ受信管理部２０３及び放送スケジュール予約受付部２０２は、ＩＦ部２０１及び通信回線５０を経由して、放送スケジュール設定装置１００とやりとりを行うが、以下の説明では、説明の簡略化のため、放送コンテンツ受信管理部２０３及び放送スケジュール予約受付部２０２が直接、放送スケジュール設定装置１００とやりとりを行うように説明する。
【００３３】
放送スケジュール設定装置１００のユーザは、放送コンンテンツ（例えば、Ｔｒａｎｓｐｏｒｔ  Ｓｔｒｅａｍ形式のデータ）を、外部メディア（例えば、ＵＳＢメモリ）に格納し、前記外部メディアを外部メディア読取装置２０に接続する（Ｓ１１）。
【００３４】
放送スケジュール設定装置１００は、接続された外部メディアに格納されている放送コンンテンツを、放送コンテンツ蓄積部１０２に蓄積する（Ｓ１２）。
【００３５】
放送スケジュール設定装置１００のユーザは、現在の放送スケジュール設定状況の表示要求を、表示／入力装置３０を介して放送スケジュール設定装置１００に対して行う（Ｓ２１）。
【００３６】
放送スケジュール設定装置１００の放送スケジュール予約要求部１０３は、現在の放送スケジュール設定状況の提供要求を、放送スケジュール管理装置２００に対して行う（Ｓ２２）。
【００３７】
放送スケジュール管理装置２００の放送スケジュール予約受付部２０２は、放送スケジュール情報蓄積部２０４に蓄積されている全ての放送スケジュール情報を参照し（Ｓ２３）、全ての放送スケジュール情報の放送開始日時の項目の値、放送終了日時の項目の値を、放送スケジュール設定装置１００に応答する（Ｓ２４）。
【００３８】
放送スケジュール設定装置１００の放送スケジュール予約要求部１０３は、前ステップで応答された情報に基づき、現在の放送スケジュール設定状況を表示／入力装置３０に表示する（Ｓ２５）。図７は、本ステップによる表示の一例である。図７は日付を横軸、時刻を縦軸とした表で、放送スケジュールが既に入っている時間枠は、斜線で表示されている。本表示は、表示／入力装置３０による操作により、表示する日付や時間を移動させ、ユーザが所望する時間枠を表示することもできる。
【００３９】
放送スケジュール設定装置１００のユーザは、表示／入力装置３０に表示された放送スケジュール設定状況を確認し、表示／入力装置３０を介して放送スケジュール設定が入っていない時間枠（例えば、４／３の１５：００から１６：００）を指定し、放送スケジュール設定装置１００に対して放送スケジュール予約を要求する（Ｓ３１）。
【００４０】
放送スケジュール設定装置１００の放送スケジュール予約要求部１０３は、放送スケジュール管理装置２００に、前ステップの時間枠を指定し放送スケジュール予約を要求する（Ｓ３２）。
【００４１】
放送スケジュール管理装置２００の放送スケジュール予約受付部２０２は、前ステップの要求を受付、放送スケジュール情報を新規に作成し、放送スケジュール情報蓄積部２０４に蓄積する。この際、当該放送スケジュール情報の放送開始日時及び放送終了日時には、受付た時間枠を設定する。なお、当該スケジュール情報の放送コンテンツの項目は何も設定しない（Ｓ３３）。また、放送スケジュール設定装置１００に対し、放送スケジュール予約を受付けたことを応答する（Ｓ３４）。
【００４２】
放送スケジュール設定装置１００の放送スケジュール予約要求部１０３は、前ステップの応答に基づいた放送スケジュール予約情報を新規に作成し、放送スケジュール予約情報蓄積部１０４に蓄積する（Ｓ３５）。この際、当該放送スケジュール予約情報の放送開始日時及び放送終了日時には、要求した時間枠を設定する。なお、当該放送スケジュール予約情報の放送コンテンツ送信状態の項目は未送信と設定する。また、前ステップの応答内容も含めた現在の放送予約情報を表示／入力装置３０に表示する（Ｓ３６）。図８は、本ステップによる表示の一例である。図８は、Ｓ３１で要求した時間枠（４／３の１５：００から１６：００）が、斜線で表示されている。
【００４３】
放送スケジュール設定装置１００の放送コンテンツ送信管理部１０５は、放送スケジュール予約情報蓄積部１０４に蓄積されている放送スケジュール予約情報の内容を常に監視する。放送スケジュール予約情報のコンテンツ送信状態の項目の値が未送信の場合は、当該放送スケジュール予約情報の放送開始日時及び放送終了日の値と共に、放送コンテンツの送信開始許可の要求を、放送スケジュール管理装置２００に行う（Ｓ４１）。
【００４４】
放送スケジュール管理装置２００の放送コンテンツ受信管理部２０３は、以下に記載する各種情報を元に、放送コンテンツの送信開始を許可するか否かを判定し（Ｓ４２）、判定結果を放送スケジュール設定装置１００に対して応答する（Ｓ４３）。
【００４５】
前記の各種情報の例の一つは、放送スケジュール管理装置２００が現在行なっている放送コンンテンツの受信処理中の数である。放送スケジュール管理装置２００は、複数の放送スケジュール設定装置１００からの放送コンテンツの送信を、同時に受信する場合があり、前記放送コンテンツの受信処理中の数とは、この数のことである。放送コンンテンツの受信処理中の数が増えると、放送スケジュール管理装置２００が同時に処理すべき処理量が増え、放送コンテンツ受信管理部２０３が、受信すべきデータを受信し損なう等、処理に支障をきたす可能性がある。前記支障を避けるために放送コンンテンツの受信処理中の数が一定数（例えば、３つ）以上となった場合は、放送コンテンツ送信開始の許可を与えないという判定処理が考えられる。
【００４６】
また、前記の各種情報の例の一つは、Ｓ４１で付随された放送開始日時である。放送コンテンツ受信管理部２０３は、時計部２０６の現在日時及び前記放送開始日時を参照し、前記放送開始日時が現在日時に近い放送コンテンツの送信開始許可の要求を優先して、許可を与えるという判定処理が考えられる。例えば、送信開始日時が現在日時から、４８時間を超える場合は許可を与えず、４８時間以内の場合は許可を与える、という判定処理である。
【００４７】
また、前記の各種情報の例の一つは、放送スケジュール情報蓄積部２０３の、使用可能蓄積容量である。使用可能蓄積容量が残り少ない（例えば、５００ｋＢ以下）場合は、前記と同様、放送開始日時が現在日時に近いものを優先して、許可を与えるという判定処理が考えられる。これは、放送開始時刻が遠い放送コンテンツが放送スケジュール情報蓄積部２０３に蓄積されることで、放送スケジュール情報蓄積部２０３がより残り少なくなり、放送開始時刻の近い放送の放送コンテンツを、放送スケジュール情報蓄積部２０３に蓄積できないという事態を回避するためである。
【００４８】
放送スケジュール設定装置１００の放送コンテンツ送信管理部１０５は、放送コンテンツ送信開始許可を得られた場合は、当該放送スケジュール予約情報の放送コンテンツ送信状態の項目の値を送信中に更新する（Ｓ４４）。次に、放送スケジュール管理装置２００に対し、当該放送スケジュール情報の放送開始日時及び放送終了日時の値と共に、放送コンテンツ蓄積部に蓄積されている放送コンテンツの送信を開始する（Ｓ４５）。なお、放送コンテンツの送信開始許可を得られなかった場合は、一定時間待機した後、再度Ｓ４１からの処理を行なう。
【００４９】
放送スケジュール管理装置２００の放送コンテンツ受信管理部２０３は、放送スケジュール情報蓄積部２０４に蓄積されている放送スケジュール情報の内、前ステップで送信された放送開始日時及び放送終了日の値と一致する放送スケジュール情報の放送コンテンツの項目に、前ステップで送信された放送コンテンツを蓄積する（Ｓ４６）。放送コンテンツの蓄積が完了した際は、蓄積が完了した旨の応答を返す（Ｓ４７）。
【００５０】
放送スケジュール設定装置１００の放送コンテンツ送信管理部１０５は、放送スケジュール予約情報蓄積部１０４に蓄積されている放送スケジュール予約情報、及び放送コンテンツ蓄積部１０４に蓄積されている放送コンテンツを削除する（Ｓ４８）。
【００５１】
放送スケジュール管理装置２００の放送コンテンツ出力管理部２０５は、時計部２０６の現在日時を常に監視し（Ｓ５１）、放送スケジュール情報蓄積部２０４に蓄積されている放送スケジュール情報の放送開始日時の値が、前記監視している現在日時と一致した時に、当該放送スケジュール情報の放送コンテンツを、放送送信装置６０に対して出力する（Ｓ５２）。
【００５２】
放送送信装置６０は、前ステップによる放送コンテンツを入力すると、入力した放送コンテンツを放送する（Ｓ５３）。前記放送は、図示しない受信装置（例えば、放送受信対応の携帯電話）により受信され、放送コンテンツが提示される。
【００５３】
本発明の実施例によれば、放送スケジュール設定装置１００のユーザは、放送コンテンツを、ＵＳＢメモリ等を介して放送スケジュール設定装置１００に一旦蓄積することで、放送スケジュール設定装置１００に対する放送スケジュール予約の設定操作の際、放送コンテンツの放送スケジュール管理装置２００への送信を意識する必要がなくなる。また、放送スケジュール管理装置２００への放送開始日時及び放送終了日時の設定と、放送コンテンツの送信は独立して行われ、また、放送コンテンツの送信は放送スケジュール設定装置１００により自動的に行われるので、放送スケジュール予約の設定に係る放送スケジュール設定装置１００のユーザの操作時間を短縮することが出来る。
【００５４】
実施例１の説明では、説明を簡単にするために、放送スケジュール設定装置１００に蓄積する、放送コンテンツ及び放送スケジュール予約情報を、それぞれ１つのみとした。複数の放送コンテンツ及び複数の放送スケジュール予約情報を扱うためには、放送コンテンツに識別子等を付け、また図３に示す放送スケジュール予約情報のフォーマットに前記識別子等を格納する項目を追加し、放送コンテンツと放送スケジュール予約情報を関連付けすること等により実現可能なことは、当業者には理解されるところである。なお、複数の放送コンテンツ及び複数の放送スケジュール予約情報を扱う際は、放送スケジュール設定装置１００の（Ｓ４１）から（Ｓ４８）の一連のステップを、複数同時に並行して行い効率化を図れることは、当業者には理解されるところである。
［実施例２］
実施例２も、実施例１と同様、放送スケジュール管理設定システム１０に関するものである。但し、実施例２は図９の様に、放送スケジュール管理装置２１０と総称される放送スケジュール管理装置２１０ａ、２１０ｂ、２１０ｎと、放送送信装置６０と総称される放送装置６０ａ、６０ｂ、６０ｎとが含まれる放送スケジュール管理設定システム１１に係るものである。
【００５５】
実施例２を具体的に説明する前に、まず概要を述べる。
【００５６】
図９の様にそれぞれ別の放送スケジュール管理装置２１０に接続された複数の放送送信装置６０で、同一の放送コンテンツを放送する場合を考える。ユーザが１つの放送スケジュール設定装置１１０を用いて、図６で示したステップＳ１１、Ｓ２１、Ｓ３１を、このそれぞれ別の放送スケジュール管理装置２０１に対して個別に行うことで、複数の放送送信装置６０で同一の放送コンテンツを放送する放送スケジュールを設定をすることができる。但し、ステップＳ１１は１回のみでも良い。また、ステップＳ２１、Ｓ３１では、その要求がどの放送スケジュール管理装置２１０に対するものかを示す情報も送信され、また、放送スケジュール設定装置１１０は、この情報に基づいた放送スケジュール管理装置２１０とやりとりを行う必要がある。
【００５７】
この場合、実施例１に記載の方法によれば、同じ放送コンテンツが、一つの放送スケジュール設定装置１１０から複数の放送スケジュール管理装置２１０へ通信回線５０を介して個別に送信されることになる。ここで、一つの放送スケジュール設定装置１１０からの複数の放送スケジュール管理装置２１０への放送コンテンツの送信は、放送スケジュール設定装置１１０の処理能力が低い場合や、放送スケジュール設定装置１１０と各放送スケジュール管理装置２１０の間での通信回線５０の伝送スループットが小さい場合には、放送コンテンツの送信が遅れるなどの問題が発生することが考えられる。
【００５８】
実施例２は、上記事情を鑑みたもので、１つの放送スケジュール設定装置１１０から複数の放送スケジュール管理装置２１０に同一の放送コンテンツを送信する場合、最初は１つの放送スケジュール設定装置１１０から、ある１つの放送スケジュール管理装置２１０に放送コンテンツを送信し、以後は、その放送スケジュール管理装置２１０からも他の放送スケジュール管理装置２１０にその放送コンテンツを送信するようにしたものである。
【００５９】
これにより放送スケジュール設定装置１１０の処理の負荷を軽減することができる。また、放送スケジュール管理装置２１０同士間の通信回線の伝送スループットが、放送スケジュール設定装置１１０と放送スケジュール管理装置２１０間の通信回線の伝送スループットよりも大きい場合は、効率的な送信が行われることになり、前述の放送コンテンツの送信が遅れるなどの問題の発生が抑制されることを期待できる。
【００６０】
以下、実施例１と異なる部分を中心に実施例２を具体的に説明する。なお、実施例１での説明と同じ符号が付されたものは、実施例１での説明と同じ内容であるので説明を省略する。
【００６１】
図９は、本発明の実施例に係る、放送スケジュール設定管理システム１１の構成の一例を示す。放送スケジュール設定管理システム１１は、外部メディア読取装置２０、表示／入力装置３０、放送スケジュール設定装置１１０、通信回線５０、複数の放送スケジュール管理装置２１０、複数の放送送信装置６０を含んで構成される。
【００６２】
放送スケジュール設定装置１１０は、通信回線５０を介して、複数の放送スケジュール管理装置２１０と、放送開始終了日時や放送コンテンツ等のやりとりを行う。また、放送コンテンツを送信した放送スケジュール管理装置２１０に対し、当該放送コンテンツを他の放送スケジュール管理装置２１０に送信させる要求（以下、再送信要求）も行う。
【００６３】
放送スケジュール管理装置２１０は、接続された放送送信装置６０に放送コンテンツを送信する。また放送スケジュール設定装置１１０から送信された再送信要求に基づき、放送コンテンツを他の放送スケジュール管理管理装置２１０に送信する場合もある。なお、放送スケジュール管理装置２１０には、固有の識別ＩＤ（以下、管理装置ＩＤ）が予め付されていて、放送スケジュール設定装置１１０及び放送スケジュール管理装置２１０は、この管理装置ＩＤで識別された放送スケジュール管理装置２１０とのやりとりを行うことができる。
【００６４】
図１０は、放送スケジュール設定装置１１０の構成を示す。放送スケジュール設定装置１１０は、放送コンテンツ入力部１１１、放送コンテンツ蓄積部１１２、放送スケジュール予約要求部１１３、放送スケジュール予約情報蓄積部１１４、放送コンテンツ送信管理部１１５、ＩＦ部１０６を含んで構成される。
【００６５】
放送コンテンツ入力部１１１は、接続された外部メディア読取装置２０（例えばＵＳＢメモリドライブ装置）から放送コンテンツを入力し、放送コンテンツ蓄積部１０２に蓄積する。またこの際、放送コンテンツと共に、当該放送コンテンツの識別ＩＤ（以下、放送コンテンツＩＤ）を付与して蓄積する。なお、この放送コンテンツＩＤは、表示／入力装置３０を放送コンテンツ入力部１１１に接続し、ユーザにより設定できるようにしてもよい。
【００６６】
放送コンテンツ蓄積部１１２に蓄積される放送コンテンツの形式は、例えばＴｒａｎｓｐｏｒｔ  Ｓｔｒｅａｍ形式である。Ｔｒａｎｓｐｏｒｔ  Ｓｔｒｅａｍ形式は、映像データや音声データを重畳することができる。なお、前述の通り、放送コンテンツと共に、放送コンテンツＩＤも蓄積される。
【００６７】
放送スケジュール予約要求部１１３は、ＩＦ部１０６及び通信回線５０を経由して、放送スケジュール管理装置２１０と、放送開始終了日時等のやりとりを行う。また、表示／入力装置３０に前記放送開始終了日時等に基づく表示を表示させる。また、放送スケジュール設定装置１１０のユーザにより、表示／入力装置３０を介して入力された放送スケジュール予約要求等を受け取る。この放送スケジュール予約要求には、放送開始日時、放送終了日時と共に、対象とする放送スケジュール管理装置２１０の管理装置ＩＤ及び、対象とする放送コンテンツの放送コンテンツＩＤも含まれる。放送スケジュール予約要求部１１３は、ＩＦ部１０６及び通信回線５０を経由して、この管理装置ＩＤで識別された放送スケジュール管理装置２００に対し、前記放送スケジュール予約要求に基づく放送スケジュールの予約を要求する。なお、放送スケジュール管理装置２１０とのやりとりにより確定した放送スケジュール予約情報を、放送スケジュール予約情報蓄積部１１４に蓄積する。
【００６８】
放送スケジュール予約情報蓄積部１１４には、放送スケジュール予約情報が蓄積される。この放送スケジュール予約情報のフォーマットの例を図１１に示す。図示のごとく、放送スケジュール予約情報は、放送開始日時、放送終了日時、放送コンテンツ送信状態に加え、放送コンテンツＩＤ、管理装置ＩＤの５項目を含んで構成される。放送開始日時及び放送終了日時の項目は、実施例１での説明と同じ内容である。放送コンテンツＩＤの項目には、当該放送スケジュール予約情報での放送対象となる放送コンテンツの放送コンテンツＩＤが設定される。管理装置ＩＤの項目には、当該放送スケジュール予約情報の対象となる放送スケジュール管理装置２１０の管理装置ＩＤが設定される。放送コンテンツ送信状態の項目には、放送コンテンツＩＤで識別される放送コンテンツの、放送スケジュール管理装置２１０への送信状態が設定される。放送コンテンツ送信状態の設定値には、未送信、送信中、送信済みがある。初期値は未送信となる。
【００６９】
放送コンテンツ送信管理部１１５は、実施例１で説明した処理と同様な処理（但し、放送開始日時、放送終了日時、放送コンテンツと共に放送コンテンツＩＤも送信する）に加え、前述の再送信要求に関する処理も行なう。なお、この再送信要求は、放送コンテンツＩＤ及び管理装置ＩＤを含む。
【００７０】
図１２は、放送コンテンツ送信管理部１１５の処理の流れを示すフローチャートである。放送コンテンツ送信管理部１１５は、放送スケジュール予約情報蓄積部１１４を常に監視しており、新規の放送スケジュール予約情報が蓄積された時に、図１２のフローチャートによる処理を開始する。
【００７１】
まず、新規の放送スケジュール予約情報と、放送コンテンツＩＤが同じで、且つ放送コンテンツ送信状態が「送信済み」の、放送スケジュール予約情報を、放送スケジュール予約情報蓄積部１１４に蓄積されている他の放送スケジュール予約情報の中から検索する（Ｓ０１）。
【００７２】
ステップＳ０１で前記条件に合致する放送スケジュール予約情報が見つからなかった場合（Ｓ５１：Ｎｏ）は、実施例１と同様の放送コンテンツ送信処理を行なう（Ｓ０２）。すなわち、放送コンテンツ送信管理部１１５は、当該新規の放送スケジュール予約情報に設定された管理装置ＩＤを持つ放送スケジュール管理装置２１０に対し、放送コンテンツ送信処理を行なう。なお、この放送コンテンツ送信処理では、放送スケジュール管理装置２１０に対し、放送コンテンツと共に放送コンテンツＩＤを送信する。
【００７３】
ステップＳ０１で前記条件に合致する放送スケジュール予約情報が見つかった場合（Ｓ０１：Ｙｅｓ）は、放送コンテンツ送信管理部１１５は、この見つかった放送スケジュール予約情報に設定された管理装置ＩＤを持つ放送スケジュール管理装置２１０に対し、再送信要求に関する処理を行なう（Ｓ０３）。
【００７４】
図１３は、放送スケジュール管理装置２１０の構成を示す。放送スケジュール管理装置２１０は、ＩＦ部２０１、放送スケジュール予約受付部２１２、放送コンテンツ受信管理部２１３、放送スケジュール情報蓄積部２１４、放送コンテンツ出力管理部２１５、時計部２０６、放送コンテンツ送信管理部２１７を含んで構成される。
【００７５】
放送スケジュール予約受付部２１２は、ＩＦ部２０１及び通信回線５０を経由して、放送スケジュール設定装置１００と放送開始終了日時等のやりとりを行う。この際、放送スケジュール予約受付部２１２は、放送スケジュール情報蓄積部２１４に蓄積されている放送スケジュール情報の作成、削除、参照、変更を行なう。なお、放送スケジュール予約受付部２１２は、放送スケジュール情報の放送開始日時、放送終了日時の２項目を設定する。
【００７６】
放送スケジュール情報蓄積部２１４には、複数の放送スケジュール情報が蓄積される。この放送スケジュール情報のフォーマットの例を図１４に示す。図示のごとく、放送スケジュール情報は、実施例１の放送開始日時、放送終了日時、放送コンテンツの３項目に加え、放送コンテンツＩＤ、管理装置ＩＤ、放送コンテンツ送信状態を含んで構成される。放送開始日時、放送終了日時、放送コンテンツの３項目に設定される内容は、実施例１と同じである。
【００７７】
放送スケジュール情報は、放送スケジュール予約受付部２１２が放送スケジュール予約を受付けた際に、放送スケジュール予約受付部２１２により新規に作成される。この際、放送開始日時、放送終了日時の項目は、送スケジュール予約受付部２１２により設定され、それ以外の項目は設定されず未設定となる。
【００７８】
放送スケジュール情報の放送コンテンツ及び放送コンテンツＩＤの項目は、後述する通り、放送コンテンツ受信管理部２１３により設定される。
【００７９】
放送スケジュール情報の管理装置ＩＤ及び放送コンテンツ送信状態の項目は、後述する通り、放送コンテンツ送信管理部２１７により設定される。
【００８０】
放送コンテンツ受信管理部２１３は、放送スケジュール設定装置１１０から送信された放送開始日時、放送終了日時、放送コンテンツ及び放送コンテンツＩＤを受信し、放送コンテンツを放送スケジュール情報蓄積部２１４に蓄積する。またこの際、放送コンテンツ受信管理部２１３は、放送スケジュール情報蓄積部２１４に蓄積されている放送スケジュール情報のうち、受信した放送開始日時及び放送終了日時が一致する放送スケジュール情報の、放送コンテンツの項目に、受信した放送コンテンツを設定する。また、受信した放送コンテンツＩＤを、この放送スケジュール情報の放送コンテンツＩＤの項目に設定する。
【００８１】
放送コンテンツ送信管理部２１７は、放送スケジュール設定装置１１０から送信された再送信要求を受信しする。またこの際、放送スケジュール情報蓄積部２１４に蓄積されている放送スケジュール情報のうち、受信した再送信要求に含まれる放送コンテンツＩＤと一致する放送コンテンツＩＤの項目を持つ放送スケジュール情報を検索する。そして検索した放送スケジュール情報の管理装置ＩＤの項目に、受信した再送信要求に含まれる管理装置ＩＤを設定する。また、この放送スケジュール情報の放送コンテンツ送信状態の項目に「未送信」を設定する。
【００８２】
以後は、放送コンテンツ送信管理部２１７は、当該放送スケジュール情報に対し、放送スケジュール設定装置１１０の放送コンテンツ送信管理部１１５と同様な処理を行なう。すなわち、当該放送スケジュール情報の管理装置ＩＤを持つ放送スケジュール管理装置２１０に対し、当該放送スケジュール情報の放送コンテンツ及び放送コンテンツＩＤを送信する。なお、送信先の放送スケジュール管理装置２１０からの応答に基づき、送信時期を変更したり、再送信する場合もある。また、放送コンテンツ送信管理部２１７は、送信状態に合わせて、放送スケジュール情報の放送コンテンツ送信状態の項目を更新する。
【００８３】
図１５は、図９の様に、それぞれ別の放送スケジュール管理装置２１０に接続された２つの放送送信装置６０ａ、６０ｂで同一の放送コンテンツを放送する際のシーケンスの例である。
【００８４】
放送スケジュール設定装置１１０のユーザは、放送コンンテンツ（例えば、Ｔｒａｎｓｐｏｒｔ  Ｓｔｒｅａｍ形式のデータ）を、外部メディア（例えば、ＵＳＢメモリ）に格納し、前記外部メディアを外部メディア読取装置２０に接続する（Ｓ６１）。
【００８５】
放送スケジュール設定装置１１０は、接続された外部メディアに格納されている放送コンンテンツを放送コンテンツＩＤを付与して、放送コンテンツ蓄積部１１２に蓄積する（Ｓ６２）。なお、ここで付与した放送コンテンツＩＤは「１」とする。
【００８６】
ステップＳ７１は、実施例１に於けるステップＳ２１からＳ３６までの一連のステップと同様なステップを意味する。すなわち、ステップＳ７１により、放送スケジュール設定装置１１０で放送スケジュール予約情報の作成が、放送スケジュール２１０aで放送スケジュール情報の作成が行われる。なお、このステップＳ７１で作成された、放送スケジュール予約情報の具体例を図１６に、放送スケジュール情報の具体例を図１７に示す。
【００８７】
放送スケジュール設定装置１１０は、図１２で示したフローチャートに基づく処理を行なう。ここでは、放送スケジュール予約情報蓄積部１１４に蓄積されている放送スケジュール予約情報は、Ｓ７１で作成されたもの以外はないので、スッテップＳ０１でＮｏと判定する（Ｓ７２）。
【００８８】
放送スケジュール設定装置１１０は、図１２に於けるステップＳ０２の放送コンテンツ送信処理、すなわち、実施例１に於けるステップＳ４１からＳ４８までの一連のステップと同様な処理を行なう。但し、ステップＳ４８では、放送スケジュール予約情報、放送コンテンツの削除を行わない。また、放送スケジュール予約情報の放送コンテンツ送信状態の項目を「送信済み」に変更する（Ｓ７３）。ステップＳ７３完了時点の、放送スケジュール予約情報の具体例を図１８に、放送スケジュール情報の具体例を図１９に示す。
【００８９】
同様にステップＳ７４も、実施例１に於けるステップＳ２１からＳ３６までの一連のステップと同様なステップを意味する。すなわち、ステップＳ７４により、放送スケジュール２１０ｂで放送スケジュール情報の追加が、放送スケジュール設定装置１１０で放送スケジュール予約情報の作成が行われる。なお、このステップＳ７４で作成された、放送スケジュール予約情報の具体例を図２０に、放送スケジュール情報の具体例を図２１に示す。
【００９０】
放送スケジュール設定装置１１０は、図１２で示したフローチャートに基づく処理を行なう。ここでは、ステップ７３で「送信済み」に変更された放送スケジュール予約情報（図１８）により、ステップＳ０１でＹｅｓと判定する（Ｓ７５）。
【００９１】
放送スケジュール設定装置１１０は、図１２に於けるステップＳ０３の処理、すなわち、放送スケジュール管理装置２１０ａに再送信要求を行う（Ｓ７６）。
【００９２】
放送スケジュール管理装置２１０ａは、再送信要求に含まれる放送コンテンツＩＤと一致する放送スケジュール予約情報（図１９）の、管理装置ＩＤの項目に再送信要求に含まれる管理装置ＩＤを、放送コンテンツ送信状態の項目に「未送信」を設定する（Ｓ７７）。ステップＳ７７完了時点の、放送スケジュール情報の具体例を図２２に示す。
【００９３】
放送スケジュール管理装置２１０ａは、放送スケジュール管理装置２１０ｂに対して、実施例１に於けるステップＳ４１からＳ４８までの一連のステップと同様なステップにより放送コンテンツを送信する。但し、ステップＳ４８では、放送スケジュール予約情報、放送コンテンツの削除を行わない。また、送信後は、放送スケジュール予約情報（図２２）の放送コンテンツ送信状態の項目を「送信済み」に変更する（Ｓ７８）。
【００９４】
以降のステップＳ８１からＳ８６は、実施例１と同様なので説明を省略する。
【００９５】
実施例１及び２の説明では、説明を簡単にするために、１つの放送スケジュール管理装置２００に接続される放送送信装置６０は１つのみとした。複数の放送送信装置６０を接続し、それぞれの放送送信装置６０で異なる放送スケジュール設定をするためには、放送送信装置６０に識別子等を付け、また図３及び図１１に示す放送スケジュール予約情報のフォーマット及び図５及び図１４に示す放送スケジュール情報のフォーマットに前記識別子等を設定する項目を追加し、放送送信装置６０と、放送スケジュール予約情報及び放送スケジュール情報を関連付けすること等により実現可能なのことは、当業者には理解されるところである。
【００９６】
本発明は、上記した装置の機能を、コンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００９７】
１０：放送スケジュール設定管理システム
２０：外部メディア読取装置
３０：表示／入力装置
５０：通信回線
６０：放送送信装置
１００：放送スケジュール設定装置
１０１：放送コンテンツ入力部
１０２：放送コンテンツ蓄積部
１０３：放送スケジュール予約要求部
１０４：放送スケジュール予約情報蓄積部
１０５：放送コンテンツ送信管理部
１０６：ＩＦ部
２００：放送スケジュール管理装置
２０１：ＩＦ部
２０２：放送スケジュール予約受付部
２０３：放送コンテンツ受信管理部
２０４：放送スケジュール情報蓄積部
２０５：放送コンテンツ出力管理部
２０６：時計部
２１７：放送コンテンツ送信管理部
【図１】
2014207656.tif 000003
【図２】
2014207656.tif 000004
【図３】
2014207656.tif 000005
【図４】
2014207656.tif 000006
【図５】
2014207656.tif 000007
【図６】
2014207656.tif 000008
【図７】
2014207656.tif 000009
【図８】
2014207656.tif 000010
【図９】
2014207656.tif 000011
【図１０】
2014207656.tif 000012
【図１１】
2014207656.tif 000013
【図１２】
2014207656.tif 000014
【図１３】
2014207656.tif 000015
【図１４】
2014207656.tif 000016
【図１５】
2014207656.tif 000017
【図１６】
2014207656.tif 000018
【図１７】
2014207656.tif 000019
【図１８】
2014207656.tif 000020
【図１９】
2014207656.tif 000021
【図２０】
2014207656.tif 000022
【図２１】
2014207656.tif 000023
【図２２】
2014207656.tif 000024